(57)【特許請求の範囲】
【請求項１】
身体に面する表面及び外部に面する表面を有する基布と、
前記基布の前記外部に面する表面に配置された疎水性の防水バリヤーと、
前記基布及び前記疎水性の防水バリヤーの両方の、全厚を貫く縫い目と、
前記疎水性の防水バリヤーの、外部に面する表面上の、不連続の耐摩耗コーティングと、
前記疎水性の防水バリヤーの外部に面する表面に結合され、水の進入に対して縫い目を封止するように配向された、防水テープと
を備える防水布。
【請求項２】
前記防水テープが前記耐摩耗コーティング上に付着され、前記防水テープが前記耐摩耗コーティングと前記疎水性の防水バリヤーとの両方に結合する、請求項１に記載の防水布。
【請求項３】
前記耐摩耗コーティングが、前記防水布の表面積の１５〜５０％を覆う、請求項１に記載の防水布。
【請求項４】
前記疎水性の防水バリヤーが着色されている、請求項１に記載の防水布。
【請求項５】
前記耐摩耗コーティングがユーザに見える、請求項１に記載の防水布。
【請求項６】
前記耐摩耗コーティングが着色されている、請求項５に記載の防水布。
【請求項７】
前記耐摩耗コーティングが、ユーザによって認知可能なテクスチャを創出する、請求項５に記載の防水布。
【請求項８】
前記疎水性の防水バリヤーの前記外部に面する表面に配置されたＤＷＲ剤をさらに含む、請求項１に記載の防水布。
【請求項９】
前記耐摩耗コーティングの外部に面する表面に配置されたＤＷＲ剤をさらに含む、請求項１に記載の防水布。
【請求項１０】
前記疎水性の防水バリヤーが、プラスチックポリマー、ポリウレタン、ポリエチレン、ポリエステル、及び／又はポリテトラフルオロエチレンを含む、請求項１に記載の防水布。
【請求項１１】
前記耐摩耗コーティングが、高分子量ポリウレタンを含む、請求項１に記載の防水布。
【請求項１２】
前記基布がウィッキング生地である、請求項１に記載の防水布。
【請求項１３】
前記基布が、ウィッキングを強化する化合物で処理されている、請求項１に記載の防水布。
【請求項１４】
前記疎水性の防水バリヤーが、前記基布の外部に面する表面にコーティングされている、請求項１に記載の防水布。
【請求項１５】
前記疎水性の防水バリヤーが、前記基布の外部に面する表面にラミネートされている、請求項１に記載の防水布。
【請求項１６】
身体に面する表面及び外部に面する表面を有する基布を用意するステップと、
前記基布の前記外部に面する表面に、疎水性の防水バリヤーを配置し、それによって防水布を形成するステップと、
前記防水布を備えた物品を形成するステップであって、前記防水布の２つの部片間に縫い目を創出することを含む、物品を形成する前記ステップと、
前記疎水性の防水バリヤーの、外部に面する表面上に、耐摩耗コーティングを配置するステップであって、前記耐摩耗コーティングが、不連続であり且つ前記防水布の表面積の１５〜５０％を覆う前記ステップと、
前記疎水性の防水バリヤーの、外部に面する表面に、防水テープを結合させるステップであって、前記縫い目が覆われるように前記防水テープを位置合わせすることを含む、防水テープを結合させる前記ステップと
を含む、防水物品を作製する方法。
【請求項１７】
前記基布の前記外部に面する表面に、前記疎水性の防水バリヤーを配置する前記ステップが、前記基布の前記外部に面する表面を前記疎水性の防水バリヤーでコーティングすることを含む、請求項１６に記載の方法。
【発明の詳細な説明】
【技術分野】
【０００１】
［関連出願の相互参照］
[0001]本出願は、参照によりその開示全体が本明細書に全体として組み込まれる「防水バリヤーを有する布地（Ｆａｂｒｉｃ  Ｈａｖｉｎｇ  ａ  Ｗａｔｅｒｐｒｏｏｆ  Ｂａｒｒｉｅｒ）」という名称の、２０１４年９月１２日に出願された米国仮特許出願第６２／０４９，６４４号の優先権を主張する。
【０００２】
［技術分野］
[0002]本明細書の実施形態は、アパレル及びスポーツ用品に関し、より詳細には、基布の外部に面する表面に疎水性の防水バリヤーを有する布地に関する。
【０００３】
［背景］
[0003]防水布を含むアパレルは、典型的には、基布とこの基布に連結された親水性の防水膜とを含む。防水膜は、基布の外部に面する表面から基布の身体に面する表面に水が通過するのを防止し、この防水膜は、典型的には布地の身体に面する表面に連結される。防水膜は、皮膚に直接接触する場合にはユーザにとって不快になる可能性があり、水（発汗など）は内面に蓄積されて、布地をべた付いて湿った感触にする可能性がある。これは一般に、アパレルの最内層である裏打ち材料を付加することによって対処される。さらに、基布の外部に面する表面は水を吸収する可能性があり、びしょ濡れの外観を与え且つ基布の重量を増大させる。この懸念に対処するために、耐久性撥水剤コーティング又は化合物を、基布の外部に面する表面に付着させて、水玉形成効果を発揮させてもよいが、水はそれでも最終的には基布を飽和させる可能性がある。
【０００４】
[0004]実施形態は、添付図面及び添付される特許請求の範囲と併せて、以下の詳細な説明によって容易に理解されよう。実施形態は、例として示され、添付図面中の図に限定しようとするものではない。
【図面の簡単な説明】
【０００５】
【図１】（図１Ａ及び図１Ｂ）様々な実施形態による、防水布の２つの実施例の断面図を示し、１つは、基布とその外部に面する表面に連結された疎水性の防水バリヤーとを有し（図１Ａ）、１つは基布と、その外部に面する表面に連結された疎水性の防水バリヤーと、疎水性の防水バリヤーの外部に面する表面に連結された耐摩耗コーティング又は層とを有する（図１Ｂ）；
【図２】（図２Ａ〜２Ｃ）様々な実施形態による、防水布の３つの断面図を示し、図１Ａに例示された防水布の作用のメカニズム（例えば、図２Ａ）と、従来の防水布の２つの例（図２Ｂ及び２Ｃ）とを示す；
【図３】（図３Ａ〜３Ｃ）様々な実施形態による、防水布の３つの実施例の断面図を示し、基布と、その外部に面する表面に連結された疎水性の防水バリヤーと、疎水性の防水バリヤーの外部に面する表面上の耐久性撥水剤（ＤＷＲ）コーティングとを有する実施形態（図３Ａ）と、基布と、その外部に面する表面に連結された疎水性の防水バリヤーと、その疎水性の防水バリヤーの外部に面する表面に連結された耐摩耗コーティング又は層と、耐摩耗コーティング又は層に連結されたＤＷＲ剤とを有する実施形態（図３Ｂ）と、基布と、その外部に面する表面に連結された疎水性の防水バリヤーと、疎水性の防水バリヤーの外部に面する表面上のＤＷＲ剤と、ＤＷＲ剤に連結された耐摩耗コーティング又は層とを有する実施形態（図３Ｃ）とが含まれる；
【図４】（図４Ａ〜４Ｃ）様々な実施形態による、図３Ａに示される防水布（例えば、図４Ａ）と、従来の防水布の２つの例（図４Ｂ及び４Ｃ）との作用のメカニズムを示す、防水布の３つの断面図を示す；
【図５】様々な実施形態による、基布と、その外部に面する表面に連結された第１の疎水性の防水バリヤーと、基布の身体に面する表面に連結された第２の疎水性の防水バリヤーとを有する、防水布の実施例の断面図を示す；
【図６】（図６Ａ〜６Ｃ）様々な実施形態による、図５に示された防水布（例えば、図６Ａ）と、従来の防水布の２つの例（図６Ｂ及び６Ｃ）との作用のメカニズムを示す、防水布の３つの断面図を示す；
【図７】（図７Ａ〜７Ｃ）様々な実施形態による、防水された縫い目を有する、防水ソフトシェル又はフリース生地の３つの例を示し、基布、フリース又はソフトシェル生地、及びＤＷＲ剤を有して、この縫い目が、基布の外部に面する表面に付着された防水テープで封止されている実施形態（図７Ａ）と、身体に面する表面に防水バリヤーが連結されている基布を有して、この縫い目は、フリース又はソフトシェル層を剥ぎ取り、且つ防水バリヤーの身体に面する表面に防水テープを付着させることによって防水されている実施形態（図７Ｂ）と、防水バリヤーが、フリース又はソフトシェル層の外部に面する表面に直接連結され、且つ縫い目が、防水テープを防水膜の外部に面する表面に結合させることによって封止されている実施形態（図７Ｃ）とが含まれる；
【図８】（図８Ａ及び８Ｂ）様々な実施形態による、防水断熱材料の２つの例を示し、外側基布及び内側裏地と境を接している断熱層と、外側基布の身体に面する表面に結合された防水バリヤーと、ＤＷＲコーティング又は層と、外側基布の外部に面する表面に結合された防水テープで防水されている縫い目とを有する実施形態（図８Ａ）と、外側基布及び内側裏地と境を接している断熱層と、外側基布の外部に面する表面に結合された防水バリヤーと、防水バリヤーの外部に面する表面に結合された防水テープで防水されている縫い目とを有する実施形態（図８Ｂ）とが含まれる；
【図９】（図９Ａ〜９Ｃ）様々な実施形態による、本明細書に開示された防水布の実施形態と比較した様々な市販の防水布の透湿度（図９Ａ）と、市販の布地と比較した、図９Ａの防水布が水蒸気を透過させる比率（％）（図９Ｂ）と、組み合わせた形で提示した、図９Ａ及び９Ｂに示されるデータ（図９Ｃ）とを示すグラフである；
【図１０】様々な実施形態による、本明細書に記述される防水布の一実施形態を試験した結果を示す。
【０００６】
［開示された実施形態の詳細な説明］
[0015]以下の詳細な説明では、その一部を形成する添付図面を参照し、これらの図面は、実施され得る例示的な実施形態として示されるものである。その他の実施形態を利用してもよく、その範囲から逸脱することなく構造又は論理の変更を行ってもよいことを理解されたい。したがって以下の詳細な説明は、限定の意味で解釈するものではなく、実施形態の範囲は、添付される特許請求の範囲及びその均等物によって定められる。
【０００７】
[0016]様々な操作は多数の個別の操作として記述されてもよく、その場合、実施形態の理解を助け得るように記述され；しかし記述する順序は、これらの操作が順序に依存的であることを示唆しないと解釈すべきである。
【０００８】
[0017]説明は、ある観点に基づいた記述、例えば上／下（ｕｐ／ｄｏｗｎ）、背面／正面（ｂａｃｋ／ｆｒｏｎｔ）、及び上部／底部（ｔｏｐ／ｂｏｔｔｏｍ）を使用してもよい。そのような記述は、考察を容易にするのに使用されるだけであり、開示された実施形態の適用を制限するものではない。
【０００９】
[0018]「連結された」及び「接続された」という用語は、それらの派生語と共に使用されてもよい。これらの用語は、互いに対する同義語とするものではないことを理解すべきである。そうではなく、特定の実施形態では、「接続された」は、２つ以上の要素が互いに直接物理的に接触していることを示すのに使用され得る。「連結された」は、２つ以上の要素が直接物理的に接触していることを意味し得る。しかし「連結された」は、２つ以上の要素が互いに直接接触しておらず、それでもなお互いに協働し又は相互作用することを意味してもよい。
【００１０】
[0019]説明の目的で、「Ａ／Ｂ」という形又は「Ａ及び／又はＢ」という形の文言は、（Ａ）、（Ｂ）、又は（Ａ及びＢ）を意味する。説明の目的で、「Ａ、Ｂ、及びＣのうちの少なくとも１つ」という形の文言は、（Ａ）、（Ｂ）、（Ｃ）、（Ａ及びＢ）、（Ａ及びＣ）、（Ｂ及びＣ）、又は（Ａ、Ｂ、及びＣ）を意味する。説明の目的で、「（Ａ）Ｂ」という形の文言は、（Ｂ）又は（ＡＢ）を意味し、即ちＡは任意選択の要素である。
【００１１】
[0020]説明は、それぞれが同じ又は異なる実施形態のうちの１つ又は複数を指していてもよい「実施形態」又は「（複数の）実施形態」という用語を使用してもよい。さらに、実施形態に関して使用される「含む（ｃｏｍｐｒｉｓｉｎｇ）」、「含む（ｉｎｃｌｕｄｉｎｇ）」、及び「有する」などの用語は同義であり、一般に、「非限定（ｏｐｅｎ）」用語であるとする（例えば、「含む（ｉｎｃｌｕｄｉｎｇ）」という用語は、「含むが限定されない」と解釈すべきであり、「有する」という用語は「少なくとも有する」と解釈すべきであり、「含む（ｉｎｃｌｕｄｅｓ）」という用語は「含むが限定されない」と解釈すべきであり、以下同様）。
【００１２】
[0021]本明細書における任意の複数形及び／又は単数形の用語の使用に関し、当業者は、文脈及び／又は適用例に適切であるように複数形から単数形及び／又は単数形から複数形に言い換えることができる。様々な単数形／複数形の置換えは、明瞭にするために本明細書に明確に述べてもよい。
【００１３】
[0022]様々な実施形態は、布地の外部に面する表面のびしょ濡れ又は飽和を防止することができ、且つある実施形態におけるユーザの身体からの水分（例えば、発汗及び水蒸気）のウィッキングを可能にすることもできる、防水布を提供する。既存の防水布は、典型的には、基布と、この基布に連結された防水膜、例えば親水性の防水膜とを含む。親水性の防水膜は、基布の外部に面する表面から基布の身体に面する表面まで水が通過するのを防止し、この防水膜は、典型的には布地の身体に面する表面に連結される。ほとんどの例で、親水性膜は皮膚に面しているので、親水性膜は汗を吸収するように選択される。基布の身体に面する表面に防水膜を位置づけることにより、防水膜が使用中に損傷（例えば、擦り傷又は摩損）するのを防止するが、問題も生ずる。
【００１４】
[0023]例えば防水膜は、皮膚に直接接触する場合にはユーザにとって不快になる可能性があり、水（発汗）が、膜の身体に面する表面に蓄積される可能性があり、不快なべた付き感が布地に与えられる。この理由のため、防水膜とユーザの身体との間に位置づけられる個別の布製裏地が、防水布と共に時々使用される。
【００１５】
[0024]さらに、基布の外部に面する表面は、典型的には要素に曝されるので水を吸収する可能性があり（例えば、雨及びその他の降水）、びしょ濡れの外観が与えられ且つ基布の重量が増加する。Ｃ８フルオロカーボンなどの耐久性撥水剤（ＤＷＲ）を、基布の外部に面する表面に付着させて水玉形成効果をもたらしてもよいが、ＤＷＲが典型的には使用と共に徐々に擦り減るので、水は依然として最終的には基布に飽和する可能性がある。このため防水布は、特に外部に面する表面の飽和が、身体に面する表面での水分蓄積を伴うとき、不良という印象が与えられる可能性がある。本明細書に記述される様々な実施形態では、基布は、身体に面する表面ではなくてこの基布の外部に面する表面に連結された疎水性の防水バリヤーを含んでいてもよい。実施形態において、防水バリヤー又は膜は通気性であり、空気及び水蒸気をバリヤー／膜内に通過させることによって水分子の通過を防止する。いくつかの実施形態では、基布は、ウィッキング若しくは通気性などの１つ若しくは複数の機能的性質を有していてもよく、及び／又はウィッキング化合物若しくはその他の機能性化合物で処理することにより基布の１つ又は複数の機能的性質を高めてもよい。
【００１６】
[0025]例えば、いくつかの実施形態では、基布がウィッキング生地であってもよい。本明細書で使用される「ウィッキング生地」という用語は、水の接触角が９０度未満である場合に濡れた状態になる（例えば、布地全体にわたって水が拡がる）表面を有する布地を指す。いくつかの実施形態では、基布の身体に面する表面は、ウィッキング化合物でコーティングされ、浸漬され、又は印刷されてもよく、この化合物は、基布の全て又は一部にわたるウィッキング及び水分の発散を高めるように働くことができるものである。特に、使用されるウィッキング化合物の非限定的な例には、ポリエチレングリコールとポリエチレンテレフタレートとのコポリマー、及び親水性ポリウレタンの希薄溶液が含まれる。
【００１７】
[0026]いくつかの実施形態では、ウィッキング化合物は、連続被覆パターン内に堆積されてもよく、それに対してその他の実施形態では、ウィッキング化合物は、連続又は不連続パターン内に付着されてもよい。特定の実施形態では、基布は、熱の方向性、冷却、又は断熱などのその他の機能的性質を有していてもよく、及び／又はその他の機能的化合物及び／又は要素が、基布の身体に面する表面に付着されてもよく、例えば、熱管理材料は米国特許第８，４５３，２７０号に開示され、ホログラフィック熱管理材料は米国特許第８，５１０，８７１号に開示され、及び／又は冷却要素は米国特許出願公開第２０１３／０１３３３５３号に開示され、これらの全ては参照により全ての目的で本明細書に組み込まれるものである。
【００１８】
[0027]様々な実施形態では、基布の外部に面する表面に連結された疎水性の防水バリヤーは、非多孔質であっても微孔質であってもよく、プラスチックポリマー、ポリウレタン、ポリエチレン、ポリエステル、及び／又はポリテトラフルオロエチレンを含んでいてもよい。様々な実施形態では、疎水性の防水バリヤーは、基布の外部に面する表面にコーティングされてもよく、これはラミネートプロセスではなくコーティングを使用することによって追加の接着層の必要性を回避することができるので、有利と考えられ、基布がテクスチャ付き表面を有する場合であっても疎水性の防水バリヤーと基布との間の強力な結合を確実にすることができる。その他の実施形態では、疎水性の防水バリヤーは、基布の外部に面する表面上にラミネートし又は印刷されてもよい。様々な実施形態では、疎水性の防水バリヤーは、環境水又は水分（例えば、降水又は同様のもの）が、基布の外部に面する表面に到達するのを防止してもよい。
【００１９】
[0028]いくつかの実施形態では、追加の耐摩耗コーティング又は層、例えばポリウレタン又はポリカーボネート層を、疎水性の防水バリヤーの外部に面する表面にコーティングし又は重ね刷りすることにより、例えば防水バリヤーの耐摩耗性を増大させてもよい。いくつかの実施形態では、耐摩耗コーティング又は層は、高分子量ポリウレタン又はポリカーボネート層である。本明細書で使用される「高分子量ポリウレタン又はポリカーボネート層」という用語は、高いヤング率及び高い固形分組成、例えば２５％超、例えば３５〜３５％を有するコーティング材料を指す。特定の実施形態では、高分子量ポリウレタン又はポリカーボネート層は、超高分子量ポリエチレン（ＵＨＭＷＰＥ）であってもよく、本明細書で使用されるこの用語は、高弾性ポリエチレン（ＨＭＰＥ）又は高性能ポリエチレン（ＨＰＰＥ）としても公知の熱可塑性ポリエチレンの部分集合を指し、これらは極めて長い鎖を有しておりその分子質量は通常２〜６００万である。様々な実施形態において、より長い鎖は、分子間相互作用を強化することによってポリマー主鎖に負荷をより効果的に伝達する働きをしてもよく、その結果、現在作製されている任意のあらゆる熱可塑性材料で最も高い衝撃強さを持つ非常に強靭な材料になる。
【００２０】
[0029]その他の実施形態では、耐摩耗層は、低分子量ポリウレタン又はポリカーボネート層であってもよい。例えば、ポリウレタン又はポリカーボネート層は、高い疎水性を有し且つ水蒸気を移行させ得る、耐久性ある表面を提供し得る。いくつかの実施形態では、耐摩耗コーティング又は層が不連続層であってもよい。例えば、いくつかの実施形態では、耐摩耗コーティング又は層は、格子、ストライプなどの不連続パターン、又は、ドット、四角形、星形、円、三角形、文字、単語、ロゴ、又はその他の形状などの反復又はランダムなパターンで付着されてもよい。いくつかの実施形態では、耐摩耗コーティング又は層は、基布の通気性を最大限にするために、不連続パターンに使用されてもよく、様々な実施形態では、耐摩耗コーティング又は層は、防水布の表面積の約１５〜５０％を覆っていてもよい。特定の実施形態では、耐摩耗コーティング又は層は、顔料を含有し、及び／又は布地が水分に曝された場合に色の変化をもたらしてもよく、及び／又は耐摩耗コーティング若しくは層は、防水布の外部に面する表面のテクスチャを高めてもよい。
【００２１】
[0030]このように様々な実施形態では、基布の外部に面する表面に防水バリヤーを位置づけることによって、ウィッキング基布がユーザの皮膚に面するようになされてもよく、皮膚からの発汗を吸い上げることができる。さらに、基布の外面に防水バリヤーを位置づけることによって、布地ベースが降水又は環境からのその他の水分を吸収するのを防止してもよい。様々な実施形態では、特徴のこの組合せは、ユーザにとって快適であると共に防水性を維持するのが効果的であり且つ基布が「びしょ濡れ」になるのを防止する、ウィッキング用の防水布を創出してもよい。様々な実施形態では、基布の外部に面する表面に防水バリヤーを位置づけることによって、本開示の前には不可能であった、防水性の通気性断熱材料、例えば防水性の通気性フリース生地、及び防水性の通気性ダウン断熱生地の創出も可能になる。
【００２２】
[0031]いくつかの実施形態では、防水バリヤー及び／又は耐摩耗コーティング若しくは層は、例えばユーザの目で見ることができ、いくつかの実施形態では、防水バリヤー及び／又は耐摩耗コーティング若しくは層は、目に見える又はテクスチャ付きパターンを生成することができる。特定の実施形態では、防水バリヤー及び／又は耐摩耗コーティング若しくは層は、１種若しくは複数の顔料若しくは着色剤を含有していてもよく、又は布地が水分に曝されたときに色の変化をもたらしてもよい。その他の実施形態では、防水バリヤー及び／又は耐摩耗コーティング若しくは層は、防水布の外部に面する表面のテクスチャを増強してもよい。いくつかの実施形態では、防水バリヤー及び／又は耐摩耗コーティング若しくは層は、基布に連結されたジッパーの一部に配置されていてもよく、ジッパーの性能及び／又は防水を高めてもよい。
【００２３】
[0032]いくつかの実施形態では、防水布は、物品の一部、例えば衣料品若しくは下着、スポーツ衣料、グローブ、帽子、又は履物などの一部を形成してもよく、したがって開示された防水布の２つ以上の部片間に１つ又は複数の縫い目を含有していてもよい。様々な実施形態では、防水布の外部に面する表面に疎水性の防水バリヤーを位置づけることにより、防水布の身体に面する表面ではなく防水布の外部に面する表面で、布地の任意の縫い目を封止することが可能になってもよい（例えば、疎水性の防水バリヤーに連結された／結合された防水テープで）。外面で防水布の任意の縫い目を封止することによって、伝統的な、身体に面する表面の縫い目の封止に比べ、いくつかの利点が提供される。例えば、基布が外部に面する表面に位置づけられる場合、水は布地に浸潤して最終的には飽和する（例えば、「びしょ濡れ」を介して）可能性があり、そのため布地は膨潤し又はその他の手法で布地と防水バリヤー及び／又は防水テープとの間の結合を布地の内側から弱める可能性がある。基布に水が負荷されると、水はテープの下に位置づけられたとじ目まで移動し、例えば縫い目の防水性を劣化させる可能性がある。縫い目テープの剥離がいくつかの実施形態で生じる可能性があり、及び／又は縫い目／とじ目に沿った水の進入が生じる可能性がある。
【００２４】
[0033]さらに、従来の防水布はとじ目を露出させており、針の穴を通して水の進入を招く可能性があり、且つ糸の中に水が吸収される可能性がある。対照的に、防水バリヤーが、防水布の外部に面する表面に位置づけられた場合、防水テープ又はその他の縫い目封止材は、基布の飽和によって弱くならないと考えられる、水の浸潤に対するバリヤーを提供する。さらに、そのような外部封止は、水がとじ目に進入するのを防止し、とじ目が摩耗する（従来の防水布構成ではとじ目の破断をもたらす可能性がある）のを防止する。
【００２５】
[0034]様々な実施形態では、防水テープと疎水性の防水バリヤーとの間の結合は、直接形成されてもよく、それに対してその他の実施形態では、防水テープは、耐摩耗コーティング又は層上に付着されてもよい。いくつかの実施形態では、耐摩耗コーティング又は層が不連続になり得るので、耐摩耗コーティング又は層上に防水テープを付着させることにより、防水テープを、耐摩耗コーティングの不連続領域で、疎水性の防水バリヤーに直接付着させることが可能になると考えられる。様々な実施形態では、防水テープは、耐摩耗コーティング又は層と疎水性の防水バリヤーとの両方に対して堅牢な防水結合を形成し得る。
【００２６】
[0035]いくつかの実施形態では、防水布はさらに、防水バリヤーの外部に面する表面及び／又は耐摩耗コーティング若しくは層の外部に面する表面（例えば、ユーザの皮膚から離れている。）に付着された耐久性撥水剤（ＤＷＲ）を含んでいてもよい。様々な実施形態では、ＤＷＲはフルオロカーボンをベースにし、パラフィンをベースにし、又はケイ素をベースにしてもよい。いくつかの実施形態では、ケイ素をベースにした及びパラフィンをベースにしたＤＷＲには、従来のフルオロカーボンをベースにしたＤＷＲ（パーフルオロカーボンなど、ＰＦＣとしても公知）に勝る利点があると考えられるが、それは一部のフルオロカーボンが、可能性ある環境及び／又は健康への影響に関する懸念を引き起こす可能性があるからである。ケイ素をベースにした及びパラフィンをベースにしたＤＷＲは、ＰＦＣを含まず、したがって環境及び／又は健康に対するこれら潜在的な悪影響をもたらさない。いくつかの実施形態では、ＤＷＲ剤を、防水バリヤー及び／又は耐摩耗コーティング若しくは層に付着させ（例えば、印刷、ラミネート、及び／又はコーティングし）て、防水布の表面での水玉形成性をさらに高めてもよい。いくつかの実施形態では、防水バリヤー及び／又は耐摩耗コーティング若しくは層の外部に面する表面に付着させるのではなく、例えばポリウレタン膜内に分散されたフルオロカーボン又はシリコーンのように、ＤＷＲを防水バリヤー内に分散させてもよい。いくつかの実施形態では、ＤＷＲ剤を、疎水性の防水バリヤーに付着させてもよく、耐摩耗コーティング又は層は、ＤＷＲ剤上に付着させてもよい。
【００２７】
[0036]水玉形成性を高めることに加え、追加のＤＷＲ剤は、使用中の損傷から防水バリヤーを保護するのを助けてもよい（例えば、耐摩耗性の増大）。いくつかの実施形態では、このＤＷＲ剤は、ユーザの目で見ることができ、いくつかの実施形態では、ＤＷＲ剤は、連続コーティングとして又は連続若しくは不連続パターンとして付着されてもよい。特定の実施形態では、ＤＷＲ剤は、顔料を含有していてもよく、及び／又は布地が水分に曝されたときに色の変化をもたらしてもよく、及び／又はＤＷＲ剤は、防水布の外部に面する表面のテクスチャを増強してもよい。
【００２８】
[0037]ＤＷＲについてこれまで述べてきたが、実施形態において、ＤＷＲ剤を除外してもよい。多くのＤＷＲ剤には環境上の懸念があり、追加の処理は、加工時間及び費用を要する。様々な実施形態において、アパレルからＤＷＲ剤を除外することは、防水バリヤーの高い疎水性によって可能になると考えられ、この場合アパレルは、ＤＷＲ剤がない場合であってもその防水性を依然保っている。
【００２９】
[0038]さらにその他の実施形態では、防水布は、基布の外部に面する表面に第１の疎水性の防水バリヤーを含み、基布の身体に面する表面に第２の疎水性の防水バリヤーを含んでいてもよい。この実施形態には、ユーザの皮膚に対してウィッキング基布を位置づける利点がないが、製造における優位性を提供し、既存の上着用布地でそうであるように縫い目を内面に封止することができる。さらにこの実施形態によれば、２つの疎水性の防水バリヤーの間に挟まれるように、非常に薄く及び／又は軽量の基布を使用することが可能になる。
【００３０】
[0039]図１Ａ及び１Ｂは、様々な実施形態による、防水布の２つの実施例の断面図を示し、１つは、基布とその外部に面する表面に連結された疎水性の防水バリヤーとを有し（図１Ａ）、１つは基布と、その外部に面する表面に連結された疎水性の防水バリヤーと、疎水性の防水バリヤーの外部に面する表面に連結された耐摩耗コーティング又は層とを有している（図１Ｂ）。図１Ａに示されるように、防水布１００ａは、外部に面する表面１０４ａと身体に面する表面１０６ａとを有する基布１０２ａを含む。様々な実施形態では、基布１０２ａは、ウィッキング特性を有していてもよく、又はウィッキング化合物で処理（例えば、コーティング、浸漬、又は印刷）されていてもよい。様々な実施形態では、１つの表面が身体に面するように基布１０２ａが位置づけられることにより、基布は、発汗及び／又は身体から離れたその他の水分を吸い上げて、乾燥した感触をもたらすことが可能になると考えられる。いくつかの実施形態では、基布１０２ａは、熱の方向性（例えば、熱の伝導又は反射率）、冷却、又は断熱などの、その他の機能的性質を有していてもよい。いくつかの実施形態では、基布は、ウィッキングが高まるように、ウィッキング化合物で処理し又はコーティングされてもよい。
【００３１】
[0040]様々な実施形態では、防水バリヤー１０８ａが、基布１０２ａの外部に面する表面１０４ａに連結（例えば、コーティング、ラミネート、印刷など）されていてもよく、基布１０２ａへの水分透過に対するバリヤーを創出している。外部に面する表面１０４ａ上に防水バリヤー１０８ａを位置づけることにより、基布１０２ａが「びしょ濡れ」になって布地１００ａの防水能力がなくなった印象をユーザに与える可能性を阻止する。
【００３２】
[0041]図１Ｂに示されるように、別の実施形態では、防水布１００ｂは、外部に面する表面１０４ｂ及び身体に面する表面１０６ｂを有する基布１０２ｂと、基布１０２ａへの水分透過に対するバリヤーを創出する、基布１０２ｂの外部に面する表面１０４ｂに連結された防水バリヤー１０８ｂと、防水バリヤー１０８ｂの外部に面する表面に連結された耐摩耗コーティング又は層１１０ｂとを含む。耐摩耗コーティング又は層１１０ｂは、連続コーティング又は層として示されているが、いくつかの実施形態では、防水バリヤーの表面積の約１５〜５０％を覆うように不連続コーティング又は層として付着されてもよい。様々な実施形態では、耐摩耗コーティング又は層１１０ｂは、ランダムな又は反復パターンで付着されてもよく、格子若しくは一連のストライプ、又はドット、ボックス、三角形、星形、文字、単語、又はロゴなどの反復パターンのように、ユーザにとって視覚的に明らかであってもよい。いくつかの実施形態では、耐摩耗コーティング又は層は、着色されていてもよく、又は水と接触することによって色の変化をもたらしてもよい。
【００３３】
[0042]図２Ａ〜２Ｃは、様々な実施形態による、防水布の３つの断面図を示し、図１Ａに示した防水布の動作のメカニズムと（例えば、図２Ａ）、従来の防水布の２つの例（図２Ｂ及び２Ｃ）とを示している。図２Ａでは、防水バリヤー２０８ａは、基布２０２ａがユーザの皮膚からの発汗を吸い上げて布地全体に拡がるようにしながら、防水布２００ａが「びしょ濡れ」になるのを防止し、それによって、蒸発が容易になり且つ濡れた感触が最小限に抑えられる。
【００３４】
[0043]対照的に、図２Ｂに示される従来の防水布２００ｂは、基布２０２ｂの身体に面する表面に防水バリヤー２０８ｂを位置づけ、したがって基布２０２ｂは発汗の吸収が妨げられ、発汗は防水布２００ｂの内面に捕捉される。さらに、基布２０２ｂの外部に面する表面には防水バリヤーがなく、水が基布２０２ｂに飽和する可能性があり、「びしょ濡れ」の外観及び非防水性の感覚が与えられる。
【００３５】
[0044]同様に、図２Ｃに示される従来の防水布２００ｃは、基布２０２ｃの身体に面する表面に防水バリヤー２０８ｃを位置づけ、したがって基布２０２ｃの発汗吸収が妨げられ、防水布２００ｃの内面に発汗が捕捉される。さらに、防水布２００ｃは、基布２０２ｃの外部に面する表面にＤＷＲ剤２１０ｃを含むが、水が最終的にはＤＷＲ剤に浸透して基布２０２ｃに飽和する可能性があり、「びしょ濡れ」の外観及び非防水性の感覚が与えられる。
【００３６】
[0045]図３Ａ〜３Ｃは、様々な実施形態による、防水布の３つの実施例の断面図を示し、基布と、その外部に面する表面に連結された疎水性の防水バリヤーと、疎水性の防水バリヤーの外部に面する表面の耐久性撥水剤コーティングとを有する実施形態（図３Ａ）と、基布と、その外部に面する表面に連結された疎水性の防水バリヤーと、疎水性の防水バリヤーの外部に面する表面に連結された耐摩耗コーティング又は層と、耐摩耗コーティング又は層に連結された耐久性撥水剤コーティングとを有する実施形態（図３Ｂ）と、基布と、その外部に面する表面に連結された疎水性の防水バリヤーと、疎水性の防水バリヤーの外部に面する表面上の耐久性撥水剤コーティングと、耐久性撥水剤コーティングに連結された耐摩耗コーティング又は層とを有する実施形態（図３Ｃ）とが含まれる。
【００３７】
[0046]図１Ａに示される防水布１００ａと同様に、図３Ａに示される防水布３００ａは、外部に面する表面３０４ａ及び身体に面する表面３０６ａを有する基布３０２ａを含む。様々な実施形態では、基布３０２ａは、ウィッキング特性を有していてもよく、又はウィッキング化合物で処理（例えば、コーティング、浸漬、又は印刷）されていてもよい。様々な実施形態では、疎水性の防水バリヤー３０８ａを、基布３０２ａの外部に面する表面３０４ａに連結（例えば、コーティング、ラミネート、印刷など）させて、基布３０２ａの外部に面する表面３０４ａへの水分透過に対するバリヤーを創出してもよい。上述のように、外部に面する表面３０４ａに防水バリヤー３０８ａを位置づけることによって、基布３０２ａが「びしょ濡れ」になって布地３００ａの防水能力がなくなった印象をユーザに与え得る状態を阻止する。さらに、ＤＷＲ剤３１２ａ（例えば、いくつかの実施形態では、不連続パターンで付着されてもよい）は、防水バリヤー３０８ａの外部に面する表面に付着（例えば、堆積、印刷、ラミネート、及び／又はコーティング）されてもよく、それによって、防水布３００ａの外面での水玉形成性及び／又は耐摩耗性が高められる。
【００３８】
[0047]図３Ｂに示される実施形態では、防水布３００ｂは、外部に面する表面３０４ｂ及び身体に面する表面３０６ｂを有する基布３０２ｂと、基布３０２ｂの外部に面する表面３０４ｂに連結された疎水性の防水バリヤー３０８ｂと、疎水性の防水バリヤー３０８ｂに連結された耐摩耗コーティング又は層３１０ｂとを含む。さらにＤＷＲ剤３１２ｂが、耐摩耗コーティング又は層３１０ｂの外部に面する表面に付着され、それによって、防水布３００ｂの外面での水玉形成性が高められる。
【００３９】
[0048]図３Ｃに示される実施形態では、防水布３００ｃは、外部に面する表面３０４ｃ及び身体に面する表面３０６ｃを有する基布３０２ｃと、基布３０２ｃの外部に面する表面３０４ｃに連結された疎水性の防水バリヤー３０８ｃと、疎水性の防水バリヤー３０８ｃに連結されたＤＷＲ剤３１２ｃとを含む。さらに耐摩耗コーティング又は層３１０ｃが、ＤＷＲ剤３１２ｃの外部に面する表面に付着され、それによって、防水布３００ｂの外面での耐摩耗性が高められる。
【００４０】
[0049]図４Ａ〜４Ｃは、様々な実施形態による、防水布の３つの断面図を示し、図３Ａに示した防水布の動作のメカニズムと（例えば、図４Ａ）、従来の防水布の２つの例（図４Ｂ及び４Ｃ）とを示している。図４Ａに示されるように、防水バリヤー４０８ａ及びＤＷＲ剤４１０ａは、基布４０２ａがユーザの皮膚から発汗を吸い上げながら、防水布４００ａが「びしょ濡れ」にならないように、一緒に作用し得る。
【００４１】
[0050]対照的に、図４Ｂに示される従来の防水布４００ｂは、基布４０２ｂの身体に面する表面に防水バリヤー４０８ｂを位置づけ、したがって基布４０２ｂは発汗の吸収が妨げられ、発汗は防水布４００ｂの内面に捕捉される。さらに、基布４０２ｂの外部に面する表面には防水バリヤーがないので、水が基布４０２ｂに飽和する可能性があり、「びしょ濡れ」の外観及び非防水性の感覚が与えられる。
【００４２】
[0051]同様に、図４Ｃに示される従来の防水布４００ｃは、基布４０２ｃの身体に面する表面に、防水バリヤー４０８ｃを位置づける。防水布４００ｃは、基布４０２ｃの外部に面する表面にＤＷＲ剤４１０ｃを含むが、水は最終的に、ＤＷＲ剤に浸透する可能性があり（又はＤＷＲ剤は擦り減る可能性がある）、水は基布４０２ｃに飽和する可能性があり、「びしょ濡れ」の外観及び非防水性の感覚が与えられる。
【００４３】
[0052]図５は、様々な実施形態による、防水布の別の実施例の断面図を示す。この実施形態では、基布５０２の外部に面する表面５０４にある疎水性の防水バリヤー５０８ａに加え、防水布５００は、基布５０２の身体に面する表面５０６上に第２の疎水性の防水バリヤー５０８ｂも含む。この実施形態には、ユーザの皮膚に対してウィッキング基布５０２を位置づける利点はないが、製造における利点をもたらし、既存の上着用布地でそうであるように縫い目を内面で封止することができる。さらに、２つの疎水性の防水バリヤー５０８ａ、５０８ｂの間に挟まれるように、非常に薄い及び／又は軽量の基布５０２を使用してもよい。
【００４４】
[0053]図６Ａ〜６Ｄは、様々な実施形態による、防水布の３つの断面図を示し、図５に示された防水布（図６Ａ）と、従来の防水布の２つの例（図６Ｂ及び６Ｃ）との動作のメカニズムを示している。図６Ａに示されるように、第１の防水バリヤー６０８ａは、防水布６００ａが「びしょ濡れ」になるのを防止する。第２の防水バリヤー６０８ｂは、基布６０２ａの身体に面する表面に位置づけられ、防水布６００ａから作製された物品は従来の縫い目封止技術を使用することが可能になる。
【００４５】
[0054]対照的に、図６Ｂに示される従来の防水布６００ｂは、基布６０２ｂの身体に面する表面に、防水バリヤー６０８ｃを位置づける。このように、基布６０２ｂの外部に面する表面には防水バリヤーがないので、水は基布６０２ｂに飽和する可能性があり、「びしょ濡れ」の外観及び非防水性の感覚が与えられる。
【００４６】
[0055]同様に、図６Ｃに示される従来の防水布６００ｃは、基布６０２ｃの身体に面する表面に、防水バリヤー６０８ｃを位置づける。防水布６００ｃは、基布６０２ｃの外部に面する表面にＤＷＲ剤６１２ｃを含むが、水は最終的に、ＤＷＲ剤に浸透し且つ基布６０２ｃに飽和する可能性があり、「びしょ濡れ」の外観及び非防水性の感覚が与えられる。
【００４７】
[0056]様々な実施形態において、本明細書に開示される様々な防水布の利点は、被服のスリーブと身ごろとの間に存在し得るような布地層の縫い目を、疎水性の防水バリヤーの外部に面する表面に直接防水テープを結合させることによって防水することができる。図７Ａ〜７Ｃは、様々な実施形態による、防水縫い目を有する防水ソフトシェル又はフリース生地の３つの例を示し、基布、フリース又はソフトシェル生地、及びＤＷＲ剤を有する実施形態であって、縫い目が、基布の外部に面する表面に付着された防水テープで封止されている実施形態（図７Ａ）と、身体に面する表面に連結された防水バリヤーを備えた基布を有する実施形態であって、フリース又はソフトシェル層を剥ぎ取り且つ防水バリヤーの身体に面する表面に防水テープを付着させることによって縫い目が防水される実施形態（図７Ｂ）と、防水バリヤーが、フリース又はソフトシェル層の外部に面する表面に直接連結されており、防水膜の外部に面する表面に防水テープを結合させることによって縫い目が封止されている実施形態（図７Ｃ）とが含まれる。図７Ａに示される例では、ベース材料７０２ａが、フリース又はソフトシェル生地７１８ａに結合され、ＤＷＲ剤７１２が、基布７０２ａの外部に面する表面に付着される。衣料品、下着、履物、又はスポーツ用品のいくつかの位置のいずれかに位置づけられ得る縫い目７１４ａは、材料７００ａの全厚を貫き、防水テープ７１６ａを基布７０２ａに結合させることによって、ベース材料７０２ａの外部に面する表面が封止される。
【００４８】
[0057]図示される例では、水（矢印によって示される）が最終的にはＤＷＲ剤７１２を経て基布７０２ａに浸潤する可能性があり、防水テープ７１６ａと基布７０２ａとの間の結合を劣化させる可能性がある。いくつかの実施形態では、このような状態によって最終的には、縫い目７１４ａでの水の進入及び／又は防水テープ７１６ａの剥離、及び縫い目７１４ａの防水の不具合がもたらされる可能性がある。
【００４９】
[0058]図７Ｂに示される例では、ベース材料７０２ｂの身体に面する表面が、防水バリヤー７０８ｂに結合され、このバリヤーがさらにフリース又はソフトシェル生地７１８ｂに結合される。縫い目７１４ｂは、材料７００ｂの全厚を貫き、防水テープ７１６ｂで、防水バリヤー７０８ｂの身体に面する表面が封止される。防水バリヤー７０８ｂの身体に面する表面に接触するために、フリース又はソフトシェル生地７１８ｂを剥ぎ取って（例えば、切り取って）、防水テープ７１６ｂが付着される前に防水バリヤー７０８ｂを露出させる。このようにするには、製造プロセスにおいて余分なステップが必要であり、フリース又はソフトシェル生地７１８ｂの断熱が欠如した、衣料品、下着、履物、又はスポーツ用品の領域も残される。さらに防水材料７００ｂは、図２Ｂ及び４Ｂに示した布地と同じ欠点、即ち基布７０２ｂがびしょ濡れになるという欠点に悩まされている。
【００５０】
[0059]対照的に、図７Ｃに示される防水断熱材料は、これらの問題を回避する。図７Ｃに例示される実施例では、防水バリヤー７０８ｃがフリース又はソフトシェル生地７１８ｃに結合される。縫い目７１４ｃが、防水断熱材料７００ｃの全厚を貫き、防水バリヤー７０８ｃの外部に面する表面が防水テープ７１６ｃで封止される。この状態は、図７Ｃに例示される基布がびしょ濡れになることに関連した問題を防止し、防水バリヤー７０８ｃと防水テープ７１６ｃとの間に強力な結合も形成させ、その結果縫い目７１４ｃは劣化及び不具合が生じないことが確実になる。
【００５１】
[0060]図８Ａ及び８Ｂは、様々な実施形態による、防水断熱材料の２つの例を示し、外側基布及び内側裏地と境を接している断熱層と、外側基布の身体に面する表面に結合された防水バリヤーと、ＤＷＲコーティング又は層と、外側基布の外部に面する表面に結合された防水テープで防水されている縫い目とを有する実施形態（図８Ａ）と、外側基布及び内側裏地と境を接している断熱層と、外側基布の外部に面する表面に結合された防水バリヤーと、防水バリヤーの外部に面する表面に結合された防水テープで防水されている縫い目とを有する実施形態（図８Ｂ）とが含まれる。図８Ａに示される例では、天然の断熱、合成の断熱、又は両方の組合せを含み得る断熱層８２０ａは、外部に面する表面が外側基布８０２ａに結合され、身体に面する表面は、裏地８２２ａに結合されている。基布８０２ａの身体に面する表面は、防水バリヤー８０８ａに結合され、基布８０２ａの外部に面する表面は、ＤＷＲ剤でコーティングされていてもよい。縫い目８１４ａは、材料８００ａの全厚を貫き、基布８０２ａの外部に面する表面が防水テープ８１６ａで封止されている。
【００５２】
[0061]図示される例では、水（矢印によって示される）が最終的にはＤＷＲ剤８１２を経て基布８０２ａに浸潤し、防水テープ８１６ａと基布８０２ａとの間の結合を劣化させ得る。いくつかの実施形態では、このような状態が最終的には防水テープ８１６ａの剥離をもたらし、縫い目８１４ａの防水が不具合になる可能性がある。
【００５３】
[0062]対照的に、図８Ｂに示される防水断熱材料は、これらの問題を回避する。図８Ｂに示される実施例では、天然の断熱、合成の断熱、又は両方の組合せを含み得る断熱層８２０ｂは、外部に面する表面が外側基布８０２ｂにより結合され、身体に面する表面が裏地８２２ｂに結合される。いくつかの実施形態では、合成及び天然の断熱材料の特定の構成を、参照によりその全体が本明細書に組み込まれる米国出願第１４／２８６，８６９号に開示されるように使用してもよい。
【００５４】
[0063]基布８０２ｂの外部に面する表面は、防水バリヤー８０８ｂに結合される。縫い目８１４ｂは、断熱材料８００ｂの全厚を貫き、防水テープ８１６ｂと防水バリヤー８０８ｂの外部に面する表面との間に結合を形成することによって、封止される。この構成は、基布８０２ｂがびしょ濡れになるのを防止し、防水バリヤー８０８ｂと防水テープ８１６ｂとの間に強力な結合も形成させ、縫い目８１４ｂが劣化及び不具合も引き起こさないことを確実にする。
【００５５】
[0064]実施例
[0065]実施例１：防水布を経た透湿度の試験
[0066]水蒸気透過試験は、水を含有するカップの最上部で布地試料が封止される装置でしばしば実施され、カップの重量を、時間の関数として重量測定によりモニタする。環境温度、相対湿度、及び試料を横断する空気流量を書き留める。典型的には、カップ及び環境は、同じ温度である。本発明の実施例において、カスタムメードの加熱カップホルダは、アルミ箔で裏打ちされた柔軟な加熱器を、カップのベースに巻き付けることによって構成した。カップは、Ｔｈｗｉｎｇ−Ａｌｂｅｒｔ  Ｉｎｓｔｒｕｍｅｎｔ  Ｃｏｍｐａｎｙから得られ、ＥＺ−カップバポメーター透過度カップ（ＥＺ−Ｃｕｐ  Ｖａｐｏｍｅｔｅｒ  Ｐｅｒｍｅａｂｉｌｉｔｙ  Ｃｕｐ）、深さ２”（部品Ｎｏ．６８−３０００）であった。加熱器は、ＭｃＭａｓｔｅｒ−Ｃａｒｒから得られ、超フレキシブル極薄熱シート（Ｓｕｐｅｒ−Ｆｌｅｘｉｂｌｅ  Ｕｌｔｒａ−Ｔｈｉｎ  Ｈｅａｔ  Ｓｈｅｅｔ）、２”×１０”（部品Ｎｏ．８００９Ｔ１２）を使用してカップを加熱した。カップ温度を、水位で、加熱されたカップホルダの内面に配置した、Ｋ型熱電対によってモニタした。水及び布地と共に完全に組み立てたカップを、環境チャンバ（ルネアテニーＢＴＲＣ（Ｌｕｎａｉｒｅ  Ｔｅｎｎｅｙ  ＢＴＲＣ））内で、高いカップ温度で３０分間平衡にし、その後、データ収集した。データは、質量対時間として、予熱されたカップから収集した。質量対時間のプロットの勾配を、布地面積によって正規化することにより、透湿度（ＷＶＴＲ）が得られる。カップは、試験中、直立した構成で保持した。各カップは、各試験の開始時に、８０ｍＬの脱イオンＨ２Ｏ（約１”充填）を含有しており、これを２．５時間存続させ、３０分毎に測定した。外面のカップ温度を３５．０℃に保ち、平衡後の水温は３４．６〜３４．９℃であり、環境温度は２４．８±０．４℃であり、環境相対湿度は５１．０±４．７％であり、空気流は、９０秒の間隔で測定し、０〜５９ＦＰＭの間で変化することがわかった。全ての試料を同じ試験条件の下に置いた。
【００５６】
[0067]図９Ａ〜９Ｃは、様々な実施形態による、本明細書に開示された防水布の実施形態と比較した様々な市販の防水布の透湿度（図９Ａ）と、市販の布地と比較したとき、図９Ａの防水布が水蒸気を透過させる比率（％）（図９Ｂ）と、組み合わせた形で提示した、図９Ａ及び９Ｂに示されるデータ（図９Ｃ）とを示すグラフである。図９Ａは、ＭＶＴＲの測定値を示し、各布地試料から２〜３回の測定によって得られたものである。本出願に開示された布地（例えば、コロンビアアウトドライエクストリーム（Ｃｏｌｕｍｂｉａ  Ｏｕｔｄｒｙ  Ｅｘｔｒｅｍｅ）（商標））は、その他の市販の布地と比較した場合、最速の（ｆａｓｔｅｄ）ＷＶＴＲを有すると判定された。図９Ｂは、対照の布地と比較したとき、コロンビアアウトドライエクストリーム（商標）布地が水蒸気を透過させた高速比率（％）を示し、その比率（％）は、（（ＷＶＴＲ試験布地）−（ＷＶＴＲ対照布地））／（ＷＶＴＲ対照布地）として計算した。試験布地（例えば、コロンビアアウトドライエクストリーム（商標））は、対照布地に比べて水蒸気を１７〜７４％高速に透過させることがわかった。
【００５７】
[0068]実施例２：防水布の物理的性質の試験
[0069]図１０は、本明細書に記述される防水布の一実施形態を試験した結果を示す。図１０に示されるように、防水布は、従来の防水布と比較した場合、ＪＩＳ  Ｌ１０９９  Ｂ１  ＭＶＴＲ試験に関して３５％の改善を示した（例えば、「透湿性」参照、試験布地である比較条件１（「正面としてのコーティング側」、透湿度（ＭＶＴＲ）が６，３４６ｇ／ｍ２／２４時を示した）を、対照布地である条件２（「背面としてのコーティング側」、ＭＶＴＲは４，７１２ｇ／ｍ２／２４時を示した）と比較）。さらに、この試験で検査した防水布は、基布に付着されるウィッキング仕上げ剤を含んでおらず、したがって当業者なら、さらに大きな改善を示すため、そのようなウィッキング仕上げ剤を有する防水布を予測できるであろう。
【００５８】
[0070]ある実施形態について本明細書で例示し記述してきたが、当業者なら、同じ目的を達成するように計算された広く様々な代替及び／又は均等な実施形態又は実現例を、範囲から逸脱することなく、図示され記述された実施形態の代わりに用いることができることが理解されよう。当業者なら、実施形態は、非常に広く様々な方法で実現できることが容易に理解されよう。本出願は、本明細書で論じる実施形態の任意の適応例又は変形例を包含するものである。したがって実施形態は、明らかに、特許請求の範囲及びその均等物によってのみ限定されるものとする。
【図１Ａ】
0006421350.tif 000002
【図１Ｂ】
0006421350.tif 000003
【図２】
0006421350.tif 000004
【図３Ａ】
0006421350.tif 000005
【図３Ｂ】
0006421350.tif 000006
【図３Ｃ】
0006421350.tif 000007
【図４】
0006421350.tif 000008
【図５】
0006421350.tif 000009
【図６】
0006421350.tif 000010
【図７】
0006421350.tif 000011
【図８】
0006421350.tif 000012
【図９−１】
0006421350.tif 000013
【図９−２】
0006421350.tif 000014
【図１０−１】
0006421350.tif 000015
【図１０−２】
0006421350.tif 000016
【図１０−３】
0006421350.tif 000017